(57)【要約】【課題】  音声データのサンプリング周波数を選択することにより音質低下を抑えたデータ伝送を可能とするデータ伝送装置を提供することにある。【解決手段】  データ伝送装置は、音声データのサンプリング周波数を選択するスイッチ３３と、選択されたサンプリング周波数に基づいて音声データをアナログ／デジタル変換するアナログ／デジタル変換器３４と、アナログ／デジタル変換器から出力されたデータを送信処理する送信処理部３５とを有する送信器３と、送信器から送られたデータを受信処理する受信処理部４５と、音声データのサンプリング周波数を選択するスイッチ４３と、受信処理部から出力されたデータを選択されたサンプリング周波数に基づいてデジタル／アナログ変換して音声データを出力するデジタル／アナログ変換器４４とを有する受信器４とを備える。【選択図】  図１
2010081267.tif 000002
【特許請求の範囲】
【請求項１】
音声データのサンプリング周波数を選択する選択手段と、前記選択されたサンプリング周波数に基づいて前記音声データをアナログ／デジタル変換するアナログ／デジタル変換器と、前記アナログ／デジタル変換器から出力されたデータを送信処理する送信処理部とを有する送信器と、
前記送信器から送られたデータを受信処理する受信処理部と、音声データのサンプリング周波数を選択する選択手段と、前記受信処理部から出力されたデータを前記選択されたサンプリング周波数に基づいてデジタル／アナログ変換して音声データを出力するデジタル／アナログ変換器とを有する受信器と、
を備えたデータ伝送装置。
【請求項２】
前記送信器および前記受信器がそれぞれ、音声データの量子化ビット数を選択する選択手段を有し、前記アナログ／デジタル変換器およびデジタル／アナログ変換器が、前記選択された量子化ビット数に基づいて、それぞれアナログ／デジタル変換およびデジタル／アナログ変換を行う請求項１記載のデータ伝送装置。
【請求項３】
受信器との間でデータ伝送のために採用された採用伝送レートに基づいて音声データのサンプリング周波数を選択するサンプリング周波数選択部と、前記サンプリング周波数選択部で選択されたサンプリング周波数に基づいて前記音声データをアナログ／デジタル変換するアナログ／デジタル変換器と、前記アナログ／デジタル変換器から出力されたデータを送信処理する送信処理部とを有する送信器と、
前記送信器から送信されたデータを受信処理する受信処理部と、前記受信処理部から出力されたデータを前記選択されたサンプリング周波数に基づいてデジタル／アナログ変換して音声データを出力するデジタル／アナログ変換器とを有する受信器と、
を備えたデータ伝送装置。
【請求項４】
前記受信器が、音声データの量子化ビット数を選択する選択手段を有し、前記選択された量子化ビット数のもとで前記採用伝送レートが決定される請求項３記載のデータ伝送装置。
【請求項５】
前記サンプリング周波数として、複数の候補のうち前記採用伝送レートに対応する伝送パケット周波数以下であり、かつそれに最も近い周波数が選択される請求項３または４記載のデータ伝送装置。
【請求項６】
前記音声データが伝送されない場合、前記サンプリング周波数が、前記音声データが伝送される場合に比べて低いレベルに設定される請求項１または３記載のデータ伝送装置。
【請求項７】
前記音声データが伝送されない場合、前記サンプリング周波数および量子化ビット数の少なくとも一方が、前記音声データが伝送される場合に比べて低いレベルに設定される請求項２または４記載のデータ伝送装置。
【請求項８】
前記音声データが伝送されないことが、音声データ入力用の接続部材が前記送信器に接続されてないことを示す信号の存在により検出される請求項６または７記載のデータ伝送装置。
【請求項９】
音声データのサンプリング周波数を選択する選択手段と、前記選択されたサンプリング周波数に基づいて前記音声データをアナログ／デジタル変換するアナログ／デジタル変換器と、前記アナログ／デジタル変換器から出力されたデータを送信処理する送信処理部とを有する、音声データを送信する送信器。
【請求項１０】
請求項９に記載の送信器から送信されたデータを受信処理する受信処理部と、音声データのサンプリング周波数を選択する選択手段と、前記受信処理部から出力されたデータを前記選択されたサンプリング周波数に基づいてデジタル／アナログ変換して音声データを出力するデジタル／アナログ変換器とを有する受信器。
【請求項１１】
受信器との間でデータ伝送のために採用された採用伝送レートに基づいて音声データのサンプリング周波数を選択するサンプリング周波数選択部と、前記サンプリング周波数選択部で選択されたサンプリング周波数に基づいて前記音声データをアナログ／デジタル変換するアナログ／デジタル変換器と、前記アナログ／デジタル変換器から出力されたデータを送信処理する送信処理部とを有する、音声データを送信する送信器。
【請求項１２】
請求項１１に記載の送信器から送信されたデータを受信処理する受信処理部と、前記受信処理部から出力されたデータを前記選択されたサンプリング周波数に基づいてデジタル／アナログ変換して音声データを出力するデジタル／アナログ変換器とを有する受信器。
【請求項１３】
前記音声データの量子化ビット数を選択する選択手段を有する請求項９または１１記載の送信器。
【請求項１４】
前記音声データの量子化ビット数を選択する選択手段を有する請求項１０または１２記載の受信器。
【発明の詳細な説明】
【技術分野】
【０００１】
本発明は、データ伝送装置、送信器および受信器に関する。
【背景技術】
【０００２】
データ伝送装置、例えば、ホスト機器（パソコン（ＰＣ）、ハードディスク（ＨＤＤ）プレイヤー、デジタルビデオディスク（ＤＶＤ）プレイヤーなど）から、映像表示装置（プラズマディスプレイパネル（ＰＤＰ）、液晶ディスプレイ（ＬＣＤ）、プロジェクターなど）へ、デジタル映像信号、制御信号、音声信号を伝送するデータ伝送装置では、ホスト機器と映像表示装置とが離れたところに設置されている場合、信号を長距離伝送するために、ホスト機器側に送信器を設け、映像表示装置側に受信器を設け、それらの間を伝送ケーブルで接続する。長距離伝送するためには、高精細（ＨＤ）映像信号に対応するデジタル映像信号においては、フルＨＤ（１０８０ｐ）のとき、約１．６Ｇｂｐｓ×３信号（ＲＧＢ）を含む高速信号になるため、光ファイバを用いた光信号伝送が効果的である。
【０００３】
一方、制御信号および音声信号は映像信号に比べて、低速（数Ｍｂｐｓ）であるため、電気ケーブルによる信号伝送が可能である。しかし、ある伝送レートで信号伝送するときに、電気ケーブルの長さが長くなるに従って損失による波形歪みが大きくなり、正常なデータ伝送ができなくなって伝送エラーが発生する。
【０００４】
特許文献１には、データ伝送効率をあまり低下させないで、通信エラーが少なく、かつ、できるだけ速いデータ伝送速度での無線データ通信を行うことができる無線データシステムが提案されている。このシステムは、実際のデータ通信に先立って、伝送速度を段階的に変化させるテストデータブロックを送信し、その受信データのエラー率を評価することにより、できるだけ高速で、かつ、通信エラーが少ないデータ伝送速度を決定し、決定したデータ伝送速度で実際のデータ通信を行う。ビットエラー率カウント部がビットエラー率をカウントし、このビットエラー率があらかじめ定めた許容値以下であるかどうかをビットエラー率判定部が判定するものである。
【０００５】
特許文献２には、伝送路の状態を受信側から送信側へフィードバックして伝送誤りを出来る限り無くするようにする高速シリアル伝送方法が提案されている。この方法は、疑似ランダムパターンを生成するパターン生成部と、送信入力データと疑似ランダムパターンをシリアル変換する送信回路部と、送信クロック制御信号と電流制御信号を出力する送信制御部と、シリアルデータを電流制御する電流制御回路と、送信クロック周波数を可変する送信クロック回路とを有する送信部と；受信入力データをパラレルに逆変換して受信出力データと疑似ランダムパターンを出力する受信回路部と、疑似ランダムパターンのビット誤り率を測定するビット誤り率測定部と、その受信レベルを検出する受信レベル検出部と、ビット誤り率と受信レベルの特性情報を送信部へフィードバックする受信制御部と、送信クロックに同期して受信クロックを生成する受信クロック回路を有する受信部を備えるものである。
【特許文献１】特開２００１−２１７８９６号公報
【特許文献２】特開２００２−２２３２０４号公報
【発明の開示】
【発明が解決しようとする課題】
【０００６】
本発明の目的は、音声データのサンプリング周波数を選択することにより音質低下を抑えたデータ伝送を可能とするデータ伝送装置を提供することにある。
【課題を解決するための手段】
【０００７】
本発明は、上記目的を達成するために、以下のデータ伝送装置、送信器および受信器を提供する。
（１）音声データのサンプリング周波数を選択する選択手段と、前記選択されたサンプリング周波数に基づいて前記音声データをアナログ／デジタル変換するアナログ／デジタル変換器と、前記アナログ／デジタル変換器から出力されたデータを送信処理する送信処理部とを有する送信器と、
前記送信器から送られたデータを受信処理する受信処理部と、音声データのサンプリング周波数を選択する選択手段と、前記受信処理部から出力されたデータを前記選択されたサンプリング周波数に基づいてデジタル／アナログ変換して音声データを出力するデジタル／アナログ変換器とを有する受信器と、
を備えたデータ伝送装置。
（２）前記送信器および前記受信器がそれぞれ、音声データの量子化ビット数を選択する選択手段を有し、前記アナログ／デジタル変換器およびデジタル／アナログ変換器が、前記選択された量子化ビット数に基づいて、それぞれアナログ／デジタル変換およびデジタル／アナログ変換を行う上記（１）記載のデータ伝送装置。
（３）受信器との間でデータ伝送のために採用された採用伝送レートに基づいて音声データのサンプリング周波数を選択するサンプリング周波数選択部と、前記サンプリング周波数選択部で選択されたサンプリング周波数に基づいて前記音声データをアナログ／デジタル変換するアナログ／デジタル変換器と、前記アナログ／デジタル変換器から出力されたデータを送信処理する送信処理部とを有する送信器と、
前記送信器から送信されたデータを受信処理する受信処理部と、前記受信処理部から出力されたデータを前記選択されたサンプリング周波数に基づいてデジタル／アナログ変換して音声データを出力するデジタル／アナログ変換器とを有する受信器と、
を備えたデータ伝送装置。
（４）前記受信器が、音声データの量子化ビット数を選択する選択手段を有し、前記選択された量子化ビット数のもとで前記採用伝送レートが決定される上記（３）記載のデータ伝送装置。
（５）前記サンプリング周波数として、複数の候補のうち前記採用伝送レートに対応する伝送パケット周波数以下であり、かつそれに最も近い周波数が選択される上記（３）または（４）記載のデータ伝送装置。
（６）前記音声データが伝送されない場合、前記サンプリング周波数が、前記音声データが伝送される場合に比べて低いレベルに設定される上記（１）または（３）記載のデータ伝送装置。
（７）前記音声データが伝送されない場合、前記サンプリング周波数および量子化ビット数の少なくとも一方が、前記音声データが伝送される場合に比べて低いレベルに設定される上記（２）または（４）記載のデータ伝送装置。
（８）前記音声データが伝送されないことが、音声データ入力用の接続部材が前記送信器に接続されてないことを示す信号の存在により検出される上記（６）または（７）記載のデータ伝送装置。
（９）音声データのサンプリング周波数を選択する選択手段と、前記選択されたサンプリング周波数に基づいて前記音声データをアナログ／デジタル変換するアナログ／デジタル変換器と、前記アナログ／デジタル変換器から出力されたデータを送信処理する送信処理部とを有する、音声データを送信する送信器。
（１０）上記（９）に記載の送信器から送信されたデータを受信処理する受信処理部と、音声データのサンプリング周波数を選択する選択手段と、前記受信処理部から出力されたデータを前記選択されたサンプリング周波数に基づいてデジタル／アナログ変換して音声データを出力するデジタル／アナログ変換器とを有する受信器。
（１１）受信器との間でデータ伝送のために採用された採用伝送レートに基づいて音声データのサンプリング周波数を選択するサンプリング周波数選択部と、前記サンプリング周波数選択部で選択されたサンプリング周波数に基づいて前記音声データをアナログ／デジタル変換するアナログ／デジタル変換器と、前記アナログ／デジタル変換器から出力されたデータを送信処理する送信処理部とを有する、音声データを送信する送信器。
（１２）上記（１１）に記載の送信器から送信されたデータを受信処理する受信処理部と、前記受信処理部から出力されたデータを前記選択されたサンプリング周波数に基づいてデジタル／アナログ変換して音声データを出力するデジタル／アナログ変換器とを有する受信器。
（１３）前記音声データの量子化ビット数を選択する選択手段を有する上記（９）または（１１）記載の送信器。
（１４）前記音声データの量子化ビット数を選択する選択手段を有する上記（１０）または（１２）記載の受信器。
【発明の効果】
【０００８】
請求項１に係るデータ伝送装置によれば、音声データのサンプリング周波数の選択を行わない場合に比較して、音質低下を抑えたデータ伝送を可能とするデータ伝送装置を提供することができる。
請求項２に係るデータ伝送装置によれば、伝送レートを保持したまま音声データのサンプリング周波数を上げることができる。
請求項３に係るデータ伝送装置によれば、音声データのサンプリング周波数の選択を行わない場合に比較して、音質低下を抑えたデータ伝送を可能とするデータ伝送装置を提供することができる。
請求項４に係るデータ伝送装置によれば、伝送レートを保持したまま音声データのサンプリング周波数を上げることができる。
請求項５に係るデータ伝送装置によれば、本構成を有しない場合に比較して、可聴波帯域の高域の音質低下を抑えることができる。
請求項６に係るデータ伝送装置によれば、データ伝送における音質に対する配慮が不要な場合に伝送レートを下げることが可能となる。
請求項７に係るデータ伝送装置によれば、データ伝送における音質に対する配慮が不要な場合に伝送レートを下げることが可能となる。
請求項８に係るデータ伝送装置によれば、音声データが伝送されない場合に自動的に伝送レートを下げることが可能となる。
請求項９に係る送信器によれば、音声データのサンプリング周波数の選択を行わない場合に比較して、音質低下を抑えたデータ伝送を可能とする送信器を提供することができる。
請求項１０に係る受信器によれば、音声データのサンプリング周波数の選択を行わない場合に比較して、音質低下を抑えたデータ伝送を可能とする受信器を提供することができる。
請求項１１に係る送信器によれば、音声データのサンプリング周波数の選択を行わない場合に比較して、音質低下を抑えたデータ伝送を可能とする送信器を提供することができる。
請求項１２に係る受信器によれば、音声データのサンプリング周波数の選択を行わない場合に比較して、音質低下を抑えたデータ伝送を可能とする受信器を提供することができる。
請求項１３に係る送信器によれば、伝送レートを保持したまま音声データのサンプリング周波数を上げることができる。
請求項１４に係る受信器によれば、伝送レートを保持したまま音声データのサンプリング周波数を上げることができる。
【発明を実施するための最良の形態】
【０００９】
以下、本発明に係るデータ伝送装置の一実施例を図１にそって説明するが、その前に音声データの伝送レート、伝送距離、およびサンプリング周波数の関係について述べる。
【００１０】
図２は、音声データの伝送レートと伝送距離との関係の一例を示すグラフである。図示のように、伝送レート（Ｍｂｐｓ）が大きくなるに従って伝送距離（ｍ）が小さくなる。例えば伝送距離５００ｍを確保したい場合には、伝送レートを２．４Ｍｐｂｓ以下にする必要がある。
【００１１】
図３は、音声データのサンプリング周波数と伝送レートとの関係の一例を示すグラフである。本図は、量子化ビット数が１６ビット（ステレオ）の場合における関係を示す。因みに、一般的な規格であるＳＰＤＩＦでは、サンプリング周波数（ｋＨｚ）として３２ｋＨｚ、４４．１ｋＨｚ、４８ｋＨｚなどが使用されているが、専用の伝送である場合にはこの規格に準ずる必要はない。
【００１２】
図４は、音声データのサンプリング周波数と伝送距離との関係の一例を示すグラフである。図４に示すように、サンプリング周波数（ｋＨｚ）を低速にすると伝送距離（ｍ）を伸ばすことが可能になる。但し、サンプリング周波数は、ナイキストの定理で示されるように、音声伝送帯域の最高周波数の２倍以上であることが必要であるため、図５に示すように、音声データのサンプリング周波数を低下させると可聴波帯域の最高周波数も比例して低下する制約を受ける。すなわち、人間の可聴波帯域２０Ｈｚ〜２０ｋＨｚの高域部分に制約が出てくると、音声品質も低下することになるが、音声品質が許容される範囲までは、サンプリング周波数を低速にすることは可能になる。
【００１３】
以下、図１にそって本発明に係るデータ伝送装置の一実施例を説明する。本実施例は、サンプリング周波数を選択手段（スイッチ）で選択する例である。本データ伝送装置は、図示のように、ホスト機器１と映像表示装置２との間に配置され、送信器３と受信器４とを光ファイバ５および電気ケーブル６１，６２で接続して構成される。ホスト機器１からは、デジタル映像信号およびその制御信号、その他の制御信号、並びに音声（オーディオ）信号（以下、音声データという）が出力される。送信器３は、入力したデジタル映像信号を電気／光（Ｅ／Ｏ）変換器３１で光信号に変換し光ファイバ５を介して受信器４に送信し、また、入力したデジタル映像信号の制御信号、その他の制御信号および音声データを処理し電気ケーブル６１を介して受信器４に送信する。受信器４は、光ファイバ５を介して入力した光信号を光／電気（Ｏ／Ｅ）変換器４１で電気信号に変換しデジタル映像信号として映像表示装置２に伝送し、また、電気ケーブル６１を介して入力した電気信号を処理しデジタル映像信号の制御信号、その他の制御信号および音声データとして映像表示装置２に伝送する。以下、送信器３および受信器４を詳述する。
【００１４】
送信器３は、音声データのサンプリング周波数を選択するスイッチ３３と、選択されたサンプリング周波数に基づいて音声データをアナログ／デジタル変換するアナログ／デジタル（Ａ／Ｄ）変換器３４と、アナログ／デジタル変換器３４から出力されたデータを送信処理する送信処理部３５とを有する。音声データのほか、デジタル映像信号の制御信号も送信処理部３５に入力され、またその他の制御信号もドライバ３７を介して送信処理部３５に入力される。送信処理部３５に入力されたデシリアル化データは、例えば図示しないシリアライザー部（ＤＥＳ／ＳＥＲ）でシリアル化データに変換され、送受信部を有するトランシーバ３８から電気ケーブル６１を介して受信器４に伝送される。また、受信処理部３９が設けられ、電気ケーブル６２を介してトランシーバ３８で受信したシリアル化データは、例えば図示しないデシリアライザー部（ＳＥＲ／ＤＥＳ）でデシリアル化データに変換される。送信処理部３５および受信処理部３９の各種制御は制御部３６により行われる。スイッチ３３からの信号は制御部３６を介してＡ／Ｄ変換器３４に入力される。送信処理部３５、受信処理部３９および制御部３６は、例えばＦＰＧＡ（Ｆｉｅｌｄ  Ｐｒｏｇｒａｍｍａｂｌｅ  Ｇａｔｅ  Ａｒｒａｙ）７で構成することができるが、これに限定されない。
【００１５】
受信器４は、送信器３から電気ケーブル６１で送られたデータを送受信部を有するトランシーバ４８を介して受信処理する受信処理部４５と、音声データのサンプリング周波数を選択するスイッチ４３と、受信処理部４５から出力されたデータを選択されたサンプリング周波数に基づいてデジタル／アナログ変換して音声データを出力するデジタル／アナログ（Ｄ／Ａ）変換器４４とを有する。受信処理部４５に入力されたシリアル化データは、例えば図示しないデシリアライザー部（ＳＥＲ／ＤＥＳ）でデシリアル化データに変換される。受信処理部４５からは、音声データのほか、デジタル映像信号の制御信号も出力され、またその他の制御信号もレベルシフタ４７を介して出力される。また、送信処理部４９が設けられ、入力されたデシリアル化データは、例えば図示しないシリアライザー部（ＤＥＳ／ＳＥＲ）でシリアル化データに変換され、送受信部を有するトランシーバ４８から電気ケーブル６２を介して送信器３に伝送される。受信処理部４５および送信処理部４９の各種制御は制御部４６により行われる。スイッチ４３からの信号は制御部４６を介してＤ／Ａ変換器４４に入力される。受信処理部４５、送信処理部４９および制御部４６は、例えばＦＰＧＡ８で構成することができるが、これに限定されない。
【００１６】
図１の例は、制御信号がホスト機器１と映像表示装置２との間で双方向通信を必要とする場合に適合する。音声信号（音声データ）は、ホスト機器１のアナログステレオ信号を送信器３のＡ／Ｄ変換器３４によりデジタル化して伝送される。デジタル化するときに、音声品質に関わるパラメータとして、量子化ビット数やサンプリング周波数があり、歪み率などが量子化ビット数、音声帯域の上限はサンプリング周波数で決められる。デジタル映像信号の制御信号、その他の制御信号、音声データは、送信器３において送信処理部３５の図示しないシリアライザー部（ＤＥＳ／ＳＥＲ）で送信データのデシリアル化からシリアル化の処理が行われ、受信器４において受信処理部４５の図示しないデシリアライザー部（ＳＥＲ／ＤＥＳ）で受信データのシリアル化からデシリアル化の処理が行われる。シリアル化されるデータは、例えば、後述のようなパケットで生成されるが、音声データの占める割合が高いため、伝送レートは、音声信号のデータ量に大きく依存する。音声データは、ケーブルドライバを用いて電気ケーブルで伝送される。ケーブルドライバとして長距離伝送できるものには、例えば、リニアテクノロジー社の全二重ＲＳ４８５トランシーバＬＴＣ１６８６があり、これを図１のトランシーバ３８，４８として用い、ホスト機器１側と映像表示装置２側との双方向データ伝送を可能とする。
【００１７】
以下、図１にそって音声データの伝送の一例を説明する。
まず、データ伝送装置のパワーオン時に、受信器４は、制御部４６より送信処理部４９、トランシーバ４８および電気ケーブル６２を介して送信器３にテストパケット伝送要求を発行する。図６（ａ）、（ｂ）は、その伝送要求に係るパケット構成の一例を示す図である。図６（ａ）に示すように、本パケットは、スタート１ビット、パリティ４ビット、ＩＤ（データ識別コード）２ビット、各種データ８ビット、ストップ１ビットの計１６ビットで構成される。ここで各種データ８ビットは、図６（ｂ）に示すように、制御データ内訳ＩＤ（テストパケット伝送要求の有無およびその他制御用ＩＤ）３ビットと、内訳ＩＤ固有の制御データ（パケット長および伝送レート）５ビットとに割り付けられる。最初は高速の伝送レート＝２．６７ＭＢｐｓ（伝送パケット周波数Ｐｆｓ＝５３．３３ＫＨｚ）で、伝送要求を発行する。
【００１８】
送信器３は、受信器４から、電気ケーブル６２、トランシーバ３８および受信処理部３９を介してテストパケット伝送要求を受け付けると、制御部３６より、要求された実使用のパケットを要求された伝送レートで、送信処理部３９、トランシーバ３８および電気ケーブル６１を介して受信器４に送信する。図７（ａ）、（ｂ）は、そのパケット構成の一例を示す図である。図７（ａ）に示すように、本パケットは、スタート１ビット、パリティ６ビット、音声データ３２ビット、ＩＤ（データ識別コード）２ビット、各種データ８ビット、ストップ１ビットの計５０ビットで構成される。ここで各種データ８ビットは、図７（ｂ）に示すように、制御データ内訳ＩＤ（パケットの識別およびその他制御用ＩＤ）３ビットと、内訳ＩＤ固有の制御データ（パケット長および伝送レート）５ビットとに割り付けられる。
【００１９】
受信器４は、送信器３から受信したテストパケットに対し、エラー検知やエラーレートを算出する。エラーは、受信したテストパケット内のパリティデータとデータをもとに生成したパリティとの照合により検出する。エラー検出時、受信器４は算出したエラーレートを基に次に伝送を依頼すべくテストパケットの伝送レートを決定し、送信器３にフィードバックする。すなわち、次に伝送を依頼すべくテストパケットの伝送レート情報を載せて（図６（ｂ）のＤ７：テストパケット伝送要求の有無＝１：有り、Ｄ３〜Ｄ０：次に伝送を依頼すべくテストパケットの伝送レート）、送信器３にテストパケット伝送を再度要求する。送信器３は、フィードバックされた伝送レートのテストパケットを受信器４へ再送信する。以上を、エラーがなくなるまで、あらかじめ定めた複数の伝送レートを段階的に低速に移行し繰り返す。最後は最も低速の伝送レート＝１ＭＢｐｓ（伝送パケット周波数Ｐｆｓ＝２０ＫＨｚ）で伝送要求を発行する。
【００２０】
エラー検出がなかった時、受信器４は正常に受信したこととその時の伝送レート情報を載せて（図６（ｂ）のＤ７：テストパケット伝送要求の有無＝０：無し、Ｄ３〜Ｄ０：エラー検出がなかった時の伝送レート）、送信器３にフィードバックし通知する。最終的にエラーがなくなった時の伝送レート（以降、採用伝送レートと記す）を、その後の送信器３から受信器４へのデータ伝送に採用する。なお、採用伝送レート決定の過程において、例えばエラーレートが規定値以上である場合、伝送レートを１段階ではなく複数段階下げることも可能である。こうすることにより、採用伝送レート決定に至るまでの時間を短縮することができる。また、上記テストパケットの伝送制御シーケンスの実行は、データ伝送装置のパワーオン時に限定されず、任意の時間に行うことができ、例えば一定時間間隔で実行するようにしてもよい。これは以下の実施例においても同様である。長距離伝送による伝送エラーに伴う音質低下（ノイズ混入、音飛び）の抑制に有効である。
【００２１】
図１の実施例では、この採用伝送レートに対応するサンプリング周波数を例えば図３の関係から求め、スイッチ３３で当該サンプリング周波数を選択することができる。伝送距離が既知の場合は、例えば図４の関係から、当該伝送距離に対応するサンプリング周波数を求め、スイッチ３３で当該サンプリング周波数を選択することができる。
【００２２】
具体的には、例えば、図８に示すような、送信器と受信器間のデータ生成一覧表（送信器のシリアライザー部および受信器のデシリアライザー部）を用意する。図８（ａ）はパケット長が５０ビットのとき、図８（ｂ）はパケット長が３４ビットのときのものである。パケットの構成例は前述したとおりである。本例では、パケット長が５０ビットのときは、音声データの量子化ビット数が３２（左右各１６ビット）であり、パケット長が３４ビットのときは、音声データの量子化ビット数が１６（左右各８ビット）である。本例のＦＰＧＡ入力クロック周波数は１６ＭＨｚである。
【００２３】
図８のデータ生成一覧表には、伝送レートおよびそれに対応するサンプリング周波数としてそれぞれ複数個の候補が準備されている。例えば、採用伝送レートが１．６０Ｍｂｐｓの場合、パケット長が５０ビットのときは、伝送パケット周波数Ｐｆｓは３２．００ｋＨｚであり、サンプリング周波数Ａｆｓとしては３２．００ｋＨｚ以下の周波数が選択可能であるが、図８（ａ）に示すように、当該伝送パケット周波数Ｐｆｓに最も近い３１．２５ｋＨｚを選択するのが好ましい。同様に、採用伝送レートが１．６０Ｍｂｐｓの場合、パケット長が３４ビットのときは、伝送パケット周波数Ｐｆｓは４７．０６ｋＨｚであり、サンプリング周波数Ａｆｓとしては、４７．０６ｋＨｚ以下の周波数が選択可能であるが、図８（ｂ）に示すように、当該伝送パケット周波数Ｐｆｓに最も近い４５．４５ｋＨｚを選択するのが好ましい。
【００２４】
図９は、サンプリング周波数と伝送パケット周波数の関係の一例を示す図であり、（ａ）はパケット長が５０ビットのとき、（ｂ）はパケット長が３４ビットのときである。サンプリング周波数Ａｆｓは、好ましくは、図の破線矢印に示すように、採用伝送レートに対応するパケット周波数Ｐｆｓに対して、それ以下でかつそれに最も近い周波数が選択される。図９（ａ）、（ｂ）から分かるように、パケット長すなわち量子化ビット数が異なると、採用伝送レートが同じであっても、選択するサンプリング周波数Ａｆｓが違ってくる。
【００２５】
図１０は、本発明に係るデータ伝送装置の他の実施例を示す図である。本実施例が図１の実施例と異なる点は、送信器３および受信器４に音声データの量子化ビット数を選択するスイッチ３２、４２をそれぞれ設けたところにあり、その他の点については図１の実施例と同様である。この場合、アナログ／デジタル（Ａ／Ｄ）変換器３４は、スイッチ３３で選択されたサンプリング周波数およびスイッチ３２で選択された量子化ビット数に基づいて音声データをアナログ／デジタル変換し、デジタル／アナログ変換器４４は、スイッチ４３で選択されたサンプリング周波数およびスイッチ４２で選択された量子化ビット数に基づいて音声データをデジタル／アナログ変換する。すなわち、図１の実施例では量子化ビット数は固定であるが、本実施例では、スイッチ３２、４２により、例えば量子化ビット数を３２（左右各１６ビット）または１６（左右各８ビット）に選択可能である。上述のように、パケット長すなわち量子化ビット数が異なると、採用伝送レートが同じであっても、選択するサンプリング周波数Ａｆｓが違ってくる。したがって、量子化ビット数３２と量子化ビット数１６とが選択可能な場合、小さい方の量子化ビット数１６を選択すると、図８および図９に示すように、大きい方の量子化ビット数３２を選択するよりもサンプリング周波数を高く維持できる。
【００２６】
図１１は、本発明に係るデータ伝送装置のさらに他の実施例を示す図である。本実施例が図１の実施例と異なる点は、送信器３および受信器４にサンプリング周波数を選択するスイッチを設けることなく、採用伝送レートに基づいて音声データのサンプリング周波数を自動的に選択するサンプリング周波数（Ａｆｓ）選択部３０、４０を送信器３および受信器４に設けたところにあり、その他の点については図１の実施例と同様である。音声データの量子化ビット数３２（パケット長５０ビット）である。図１の実施例で説明したように、まず、データ伝送装置のパワーオン時に、受信器４は送信器３にテストパケット伝送要求を発行する。最初は高速の伝送レート＝２．６７ＭＢｐｓで、伝送要求を発行する。送信器３は、受信器４からテストパケット伝送要求を受け付けると、制御部３６にて処理し、テストパケットを要求された伝送レートで受信器４に送信する。受信器４は、送信器３から受信したテストパケットに対し、エラー検知やエラーレートを算出する。以上を、エラーがなくなるまで、あらかじめ定めた複数の伝送レートを段階的に低速に移行し繰り返す。最後は最も低速の伝送レート＝１ＭＢｐｓで伝送要求を発行する。エラー検出がなかった時、受信器４は正常に受信したことを、送信器３に通知する。最終的にエラーがなくなった時の伝送レート（採用伝送レート）を、その後の送信器３から受信器４へのデータ伝送に採用する。
【００２７】
本実施例では、上述した採用伝送レートに基づいて次のようにしてサンプリング周波数が選択される。すなわち、送信器３および受信器４は、上述の図８に示す送信器と受信器間のデータ生成一覧表をその内部または外部に格納しておき、採用伝送レートが決定されたら、その一覧表に基づいて、その採用伝送レートに適合するサンプリング周波数をサンプリング周波数（Ａｆｓ）選択部３０、４０にて選択する。この場合、アナログ／デジタル（Ａ／Ｄ）変換器３４は、この選択されたサンプリング周波数に基づいて音声データをアナログ／デジタル変換し、デジタル／アナログ変換器４４は、この選択されたサンプリング周波数に基づいて音声データをデジタル／アナログ変換する。
【００２８】
例えば、採用伝送レートが１．６０Ｍｂｐｓの場合、パケット長が５０ビットのときは、伝送パケット周波数Ｐｆｓは３２．００ｋＨｚであり、サンプリング周波数Ａｆｓとしては３２．００ｋＨｚ以下の周波数が選択可能であるが、図８（ａ）に示すように、当該伝送パケット周波数Ｐｆｓに最も近い３１．２５ｋＨｚを選択するのが好ましい。同様に、採用伝送レートが１．６０Ｍｂｐｓの場合、パケット長が３４ビットのときは、伝送パケット周波数Ｐｆｓは４７．０６ｋＨｚであり、サンプリング周波数Ａｆｓとしては、４７．０６ｋＨｚ以下の周波数が選択可能であるが、図８（ｂ）に示すように、当該伝送パケット周波数Ｐｆｓに最も近い４５．４５ｋＨｚを選択するのが好ましい。このようにしてサンプリング周波数Ａｆｓを選択することにより、音質低下を極力抑えて伝送の長距離化を可能とする。
【００２９】
すなわち、音声データのサンプリング周波数の選択は、好適には次のようにして行われる。図８に示すように、音声データのサンプリング周波数を伝送レートと同様、あらかじめ複数個の候補を準備しておき、その中から選択する。ここで、複数個の候補を準備するとは、音声データのＡ／Ｄ変換器およびＤ／Ａ変換器に与えるサンプリングクロックを含む制御用クロックを複数組作成しておくことをいう。
【００３０】
音声データのサンプリング周波数は、以下の（１）、（２）を満たすものであり、好適には（１）、（２）、（３）の全てを満たすものである。
（１）上記候補に該当すること。
（２）上記採用伝送レートに該当する伝送パケット周波数以下であること。
（３）上記（２）の伝送パケット周波数に直近の（最も近い）値であること。
【００３１】
図１２は、本発明に係るデータ伝送装置のさらに他の実施例を示す図である。本実施例が図１１の実施例と異なる点は、受信器４に音声データの量子化ビット数（パケット長）を選択するスイッチ４２を設けたところにある。この場合、受信器４は、送信器３へのテストパケット伝送要求時（図６（ｂ）のＤ７のテストパケット伝送要求の有無は１：有りを設定）に、テストパケットのパケット長情報を次のような設定にして送信器３へ知らせる。すなわち、量子化ビット数が３２（左右各１６ビット）の場合、図６（ｂ）のＤ４のパケット長[Ｂｉｔ]は０：５０ｂｉｔを設定する。また、量子化ビット数が１６（左右各８ビット）の場合、図６（ｂ）のＤ４のパケット長[Ｂｉｔ]は１：３４ｂｉｔを設定する。送信器３は、上記テストパケット要求パケット中のパケット長すなわち量子化ビット数情報に従ってテストパケットを発行する。これにより、量子化ビット数を選択するスイッチを受信器４だけに設ける構成（送信器には不要）で送信器と受信器の量子化ビット数を揃えることが可能であり、選択された量子化ビット数のもとで採用伝送レートを決定することができる。また必須ではないが、送信器４にも音声データの量子化ビット数（パケット長）を選択するスイッチ３２を設けることができる。この場合、送信器３と受信器４の量子化ビット数をスイッチ３２と４２で揃える必要がある。その他の点については図１１の実施例と同様である。この場合、アナログ／デジタル（Ａ／Ｄ）変換器３４は、採用伝送レートに基づいて選択されたサンプリング周波数および上述の量子化ビット数に基づいて音声データをアナログ／デジタル変換し、デジタル／アナログ変換器４４は、採用伝送レートに基づいて選択されたサンプリング周波数および上述の量子化ビット数に基づいて音声データをデジタル／アナログ変換する。距離と音質とのバランスのとれたデータ伝送を可能とする。音声データのサンプリング周波数の選択は、好適には上述の図１１の実施例の場合と同様に行われる。  
【００３２】
図１１の実施例では量子化ビット数は固定であるが、本実施例では、スイッチにより、例えば量子化ビット数を３２（左右各１６ビット）または１６（左右各８ビット）に選択可能である。上述のように、パケット長すなわち量子化ビット数が異なると、採用伝送レートが同じであっても、選択するサンプリング周波数Ａｆｓが違ってくる。したがって、量子化ビット数３２と量子化ビット数１６とが選択可能な場合、小さい方の量子化ビット数１６を選択すると、図８および図９に示すように、大きい方の量子化ビット数３２を選択するよりもサンプリング周波数を高く維持できる。
【００３３】
図１３は、本発明に係るデータ伝送装置のさらに他の実施例を示す図である。本図は、ホスト機器１の音声出力部および送信器３の音声入力部を図示したものである。本実施例では、音声データが伝送されない場合、サンプリング周波数および量子化ビット数の少なくとも一方が、音声データが伝送される場合に比べて低いレベルに設定される。音声データが伝送される場合に比べて低いサンプリング周波数に設定すると伝送レートを下げられる効果があり、特に最低レートにすると効果が大きい。音声データが伝送されないことは、例えば音声データ入力用のプラグ等の接続部材が送信器のジャック等に接続されてないことを示す信号の存在により検出される。
【００３４】
本実施例では、図示のように、ホスト機器１側の音声出力部から音声伝送ケーブル２１で送信器３のステレオミニプラグジャック２２に接続されて音声データ処理が行われる。図１３に示すタイプのステレオミニプラグジャック２２は、ピンＲ，Ｂ，Ｔ，Ｓを有し、プラグが挿入されないときはピンＢとピンＴとの接点が接触し、プラグが挿入されたときにその接点が開くように構成されている。ピンＴは音声信号処理のために、Ｒ２１、Ｃ１２を経てＡ／Ｄ変換器３４に接続されている。このとき、ピンＢを抵抗Ｒ３１で＋Ｖｃｃの電源にプルアップし、そのレベルＶ３をバッファ２３を介して音声信号入力検出信号ＡｕＤＥＴとして制御部３６に出力し、音声伝送モード選択に使用する。
【００３５】
Ｖ３のレベルは、通常の音声入力接続状態では、ピンＴとピンＢとは接点が開いているため、Ｒ３１でプルアップされたハイレベルになる。一方、音声伝送ケーブル２１が挿入されていないときは、ピンＢとピンＴとが接続され、Ｒ３１、Ｒ２１およびＲ２２との直列接続で＋Ｖｃｃの分圧電圧になる。
Ｖ３＝＋Ｖｃｃ×（Ｒ２１＋Ｒ２２）／（Ｒ２１＋Ｒ２２＋Ｒ３１）
ＡｕＤＥＴがローレベルになるように、すなわちＶ３をロジック入力のＶＩＬ以下になるようにＲ３１を設定する。例えば、Ｒ２１＝１６ｋΩ、Ｒ２２＝１０ｋΩ、＋Ｖｃｃ＝３．３Ｖ、ＶＩＬ＝０．８Ｖのとき、Ｒ３１≧８１．２５ｋΩである。
【００３６】
以上のように構成することで、送信器３の音声入力部に音声伝送ケーブル２１が接続されている又はいないことを検出でき、その検出信号ＡｕＤＥＴを基に、音声伝送モードを選択制御させることが可能になる。音声データを伝送しない場合、音声に対する配慮（高域の制約）が不要となるので、最低の音質レベルの選択が可能であり、また、受信器４側への伝送データから音声データを削除し、伝送レートを下げることも可能である。電気ケーブルで伝送する音声データを除く信号（映像信号の制御信号、制御信号）の長距離伝送による伝送エラーを抑制するのに有効である。
【００３７】
次に、上記実施例において、採用伝送レート決定後に、音声データ入力が無しから有りになった場合、および音声データ入力が有りから無しになった場合の本装置の動作について説明する。
【００３８】
まず、送信器３の音声データ入力が無しから有りになった場合、送信器３と受信器４間の伝送レートを再決定する。送信器３は、例えば上述の音声データ入力検出信号ＡｕＤＥＴがローレベルからハイレベルに変化したことを以って、音声データ入力用のプラグ（音声データ入力）が無しから有りの状態に変化したことを検知する。状態変化の検知方法はこれに限定されず、他の方法で行ってもよい。送信器３は、音声データ入力が無しから有りの状態に変化したことを受信器４に知らせる。この場合のパケット構成例を次に説明する。
【００３９】
図１４（ａ）〜（ｃ）は、採用伝送レート決定後に送信器から受信器に送られるパケット構成の一例を示す図である。図１４（ａ）において、データが３２〜０ビットをとることにより合計が５０〜１８ビットとなるが、これは音声データのビット数及びパケット長（合計ビット数）に関して、採用伝送レート確定前は、受信器が発行する要求テストパケット中のパケット長の値に依存し、採用伝送レート確定後は、採用伝送レート確定時に受信器からフィードバックされた要求テストパケット（テストパケット伝送要求の有無が０：無し）中のパケット長の値に依存する。このパケット構成において、データは無しで、ＩＤ（データ識別コード）は０１：通常パケット用制御データに設定する。ＩＤ対応の各種データにおける送信器コマンド／ステータス情報の割り付けは図１４（ｃ）に示すとおりであり、そのＤ７の受信器への初期化要求は１：有り、Ｄ６の受信器へのステータス要求は０：無し、Ｄ３の送信器音声データ入力の有無は１：有りに設定する。受信器４は、送信器３から受信したコマンド（Ｄ７：受信器への初期化要求は１：有り、Ｄ３：送信器音声データ入力の有無は１：有り）を受け、送信器３にテストパケット伝送要求を発行する（パケット長＝５０ビット、最初は高速：伝送レート＝２．６７Ｍｂｐｓ（Ｐｆｓ＝５３．３３ＫＨｚ）で要求）。この場合のパケット構成例を次に説明する。
【００４０】
図１５（ａ）、（ｂ）は、採用伝送レート決定後に受信器から送信器に送られるパケット構成の一例を示す図である。このパケット構成において、ＩＤ（データ識別コード）は００：テストパケット用制御データに設定する。ＩＤ対応の各種データにおける要求するテストパケット情報の割り付けは図１５（ｂ）に示すとおりであり、そのＤ７のテストパケット伝送要求の有無は１：有り、Ｄ６〜Ｄ４のパケット長［Ｂｉｔ］は０：５０、Ｄ３〜Ｄ０の伝送レート［Ｍｂｐｓ］は０：２．６７に設定する。送信器３は受信器４からテストパケット伝送要求を受け付けると、送信器音声データ入力の有無情報を載せて、要求されたパケット長（＝５０ビット）のテストパケット（パリティデータ付）を要求された伝送レートで発行し、受信器４へ送信する。このとき、図１４（ａ）のパケット構成において、データはテストデータ（疑似ランダムパターン）を設定する。ＩＤ（データ識別コード）は００：テストパケット用制御データに設定する。ＩＤ対応の各種データにおける伝送しているテストパケット情報の割り付けは図１４（ｂ）に示すとおりであり、そのＤ７の送信器音声データ入力の有無は１：有り、Ｄ６〜Ｄ４のパケット長［Ｂｉｔ］は０：５０、Ｄ３〜Ｄ０の伝送レート［Ｍｂｐｓ］は０：２．６７（現在伝送している値）に設定する。受信器４は送信器３から受信したテストパケットに対し、エラー検知やエラーレートを算出する（受信したテストパケット内のパリティデータとデータをもとに生成したパリティとの照合により、エラーを検出する）。
【００４１】
エラー検出時、受信器４は算出したエラーレートを基に次に伝送を依頼すべくテストパケットの伝送レートを決定し、送信器３にフィードバック（次に伝送を依頼すべくテストパケットの伝送レート情報を載せて、送信器３にテストパケット伝送を再度要求）する。このとき、図１５（ａ）のパケット構成において、ＩＤ（データ識別コード）は００：テストパケット用制御データに設定する。ＩＤ対応の各種データにおける要求するテストパケット情報の割り付けは図１５（ｂ）に示すとおりであり、そのＤ７のテストパケット伝送要求の有無は１：有り、Ｄ６〜Ｄ４のパケット長［Ｂｉｔ］は０：５０、Ｄ３〜Ｄ０の伝送レート［Ｍｂｐｓ］は次に伝送依頼する値に設定する。送信器３は、フィードバックされた伝送レートのテストパケットを受信器４へ再送信する。このとき、図１４（ａ）のパケット構成において、データはテストデータ（疑似ランダムパターン）を設定する。ＩＤ（データ識別コード）は００：テストパケット用制御データに設定する。ＩＤ対応の各種データにおける伝送しているテストパケット情報の割り付けは図１４（ｂ）に示すとおりであり、そのＤ７は送信器音声データ入力の有無は１：有り、Ｄ６〜Ｄ４：パケット長［Ｂｉｔ］は０：５０、Ｄ３〜Ｄ０：伝送レート［Ｍｂｐｓ］は現在伝送している値に設定する。以上を、エラーがなくなるまであらかじめ定めた伝送レート（最後は低速：伝送レート＝１Ｍｂｐｓ（Ｐｆｓ＝２０ＫＨｚ）で要求）まで段階的に低速に移行し繰り返す。
【００４２】
エラー検出しなかった時、受信器４は正常に受信したことを、送信器３に発行し知らせる。このとき、図１５（ａ）のパケット構成において、ＩＤ（データ識別コード）は００：テストパケット用制御データに設定する。ＩＤ対応の各種データにおける要求するテストパケット情報の割り付けは図１５（ｂ）に示すとおりであり、そのＤ７のテストパケット伝送要求の有無は０：無し、Ｄ６〜Ｄ４のパケット長［Ｂｉｔ］は０：５０、Ｄ３〜Ｄ０の伝送レート［Ｍｂｐｓ］はエラー検出しなかった時の値に設定する。
【００４３】
次に、送信器３の音声データ入力が有りから無しになった場合、送信器３と受信器４間の伝送レートを再決定する。送信器３は、例えば上述の音声データ入力検出信号ＡｕＤＥＴがハイレベルからローレベルに変化したことを以って、音声データ入力用のプラグ（音声データ入力）が有りから無しの状態に変化したことを検知する。状態変化の検知方法はこれに限定されず、他の方法で行ってもよい。送信器３は、音声データ入力が有りから無しの状態に変化したことを受信器４に知らせる。このとき、図１４（ａ）のパケット構成において、データは音声データ、ＩＤ（データ識別コード）は０１：通常パケット用制御データに設定する。ＩＤ対応の各種データにおける送信器コマンド／ステータス情報の割り付けは図１４（ｃ）に示すとおりであり、そのＤ７の受信器４への初期化要求は１：有り、Ｄ６の受信器４へのステータス要求は０：無し、Ｄ３の送信器音声データ入力の有無は０：無しに設定する。
【００４４】
受信器４は、送信器３から受信したコマンド（Ｄ７の受信器４への初期化要求は１：有り、Ｄ３の送信器音声データ入力の有無は０：無し）を受け、パケット長と伝送レートを音声データが伝送される場合に比べて低いレベル（例えば最低レベル）に設定し、送信器３にテストパケット伝送を要求する。このとき、図１５（ａ）のパケット構成において、ＩＤ（データ識別コード）は００：テストパケット用制御データに設定する。ＩＤ対応の各種データにおける要求するテストパケット情報の割り付けは図１５（ｂ）に示すとおりであり、そのＤ７のテストパケット伝送要求の有無は１：有り、Ｄ６〜Ｄ４のパケット長［Ｂｉｔ］は５：１８、Ｄ３〜Ｄ０の伝送レート［Ｍｂｐｓ］は１０：１．００に設定する。送信器３は、受信器４から要求されたパケット長および伝送レートのテストパケットを受信器４へ送信する。このとき、図１４（ａ）のパケット構成において、データは無しで、ＩＤ（データ識別コード）は００：テストパケット用制御データに設定する。ＩＤ対応の各種データにおける伝送しているテストパケット情報の割り付けは図１４（ｂ）に示すとおりであり、そのＤ７の送信器音声データ入力の有無は０：無し、Ｄ６〜Ｄ４のパケット長は５：１８、Ｄ３〜Ｄ０の伝送レートは１０：１．００に設定する。受信器４は送信器３から受信したテストパケットに対し、エラー検知する（受信したテストパケット内のパリティデータとデータをもとに生成したパリティとの照合により、エラーを検出する）。
【００４５】
エラー検出時、受信器４は初期（上述した送信器３にテストパケット伝送要求を発行する）にもどる。エラー検出しなかった時、受信器４は正常に受信したことを、送信器３に発行し知らせる。このとき、図１５（ａ）のパケット構成において、ＩＤ（データ識別コード）は００：テストパケット用制御データに設定する。ＩＤ対応の各種データにおける要求するテストパケット情報の割り付けは図１５（ｂ）に示すとおりであり、そのＤ７：テストパケット伝送要求の有無は０：無し、Ｄ６〜Ｄ４：パケット長［Ｂｉｔ］は５：１８、Ｄ３〜Ｄ０の伝送レート［Ｍｂｐｓ］は１０：１．００に設定する。
【００４６】
以上において、送信器３と受信器４は最終的にエラーがなくなった時の伝送レート（採用伝送レート）を双方に搭載しているメモリに記憶し、その後の通常動作における送信器３から受信器４への伝送レートとして採用する。採用伝送レート決定の過程において、例えばエラーレートが規定値以上である場合、伝送レートを１段階ではなく複数段階下げることも可能である。こうすることにより、採用伝送レート決定に至るまでの時間を短縮できる。
【００４７】
音声データのサンプリング周波数の選択は、例えば次のようにして行われる。
まず、送信器音声データ入力の有無が０：無しの場合、音声データのサンプリング周波数は０で、サンプリング不要、Ａ／Ｄ変換器およびＤ／Ａ変換器は動作不要であり、Ａ／Ｄ変換器およびＤ／Ａ変換器はパワーダウン（リセット）する。
次に、送信器音声データ入力の有無が１：有りの場合、音声データのサンプリング周波数を伝送レートと同様、あらかじめ複数個の候補を準備しておき、その中から選択する。ここで、複数個の候補を準備するとは、音声データのＡ／Ｄ変換器およびＤ／Ａ変換器に与えるサンプリングクロックを含む制御用クロックを複数組作成しておくことをいう。
音声データのサンプリング周波数は、以下の（１）、（２）を満たすものであり、好適には（１）、（２）、（３）の全てを満たすものである。
（１）上記候補に該当すること。
（２）上記採用伝送レートとパケット長に該当する伝送パケット周波数以下であること。
（３）上記（２）の伝送パケット周波数に直近の（最も近い）値であること。
【図面の簡単な説明】
【００４８】
【図１】本発明に係るデータ伝送装置の一実施例を示す図である。
【図２】音声データの伝送レートと伝送距離との関係の一例を示すグラフである。
【図３】音声データのサンプリング周波数と伝送レートとの関係の一例を示すグラフである。
【図４】音声データのサンプリング周波数と伝送距離との関係の一例を示すグラフである。
【図５】音声データのサンプリング周波数と音声信号振幅との関係の一例を示すグラフである。
【図６】（ａ）、（ｂ）は、テストパケット伝送要求に係るパケット構成の一例を示す図である。
【図７】（ａ）、（ｂ）は、テストパケット伝送要求を受けて送信されるパケット構成の一例を示す図である。
【図８】送信器と受信器間のデータ生成一覧表の一例を示す図で、（ａ）はパケット長が５０ビットのとき、（ｂ）はパケット長が３４ビットのときのものである。
【図９】サンプリング周波数と伝送パケット周波数の関係の一例を示す図であり、（ａ）はパケット長が５０ビットのとき、（ｂ）はパケット長が３４ビットのときである。
【図１０】本発明に係るデータ伝送装置の他の実施例を示す図である。
【図１１】本発明に係るデータ伝送装置のさらに他の実施例を示す図である。
【図１２】本発明に係るデータ伝送装置のさらに他の実施例を示す図である。
【図１３】本発明に係るデータ伝送装置のさらに他の実施例を示す図である。
【図１４】（ａ）〜（ｃ）は、採用伝送レート決定後に送信器から受信器に送られるパケット構成の一例を示す図である。
【図１５】（ａ）、（ｂ）は、採用伝送レート決定後に受信器から送信器に送られるパケット構成の一例を示す図である。
【符号の説明】
【００４９】
１  ホスト機器
２  映像表示装置
３  送信器
４  受信器
５  光ファイバ
７、８  ＦＰＧＡ
３１  電気／光変換器
３２、３３、４２、４３  スイッチ
３４  アナログ／デジタル変換器
３５、４９  送信処理部
３６、４６  制御部
３７  ドライバ
３８、４８  トランシーバ
３９、４５  受信処理部
４１  光／電気変換器
４４  デジタル／アナログ変換器
４７  レベルシフタ
６１、６２  電気ケーブル
【図１】
2010081267.tif 000003
【図２】
2010081267.tif 000004
【図３】
2010081267.tif 000005
【図４】
2010081267.tif 000006
【図５】
2010081267.tif 000007
【図６】
2010081267.tif 000008
【図７】
2010081267.tif 000009
【図８】
2010081267.tif 000010
【図９】
2010081267.tif 000011
【図１０】
2010081267.tif 000012
【図１１】
2010081267.tif 000013
【図１２】
2010081267.tif 000014
【図１３】
2010081267.tif 000015
【図１４】
2010081267.tif 000016
【図１５】
2010081267.tif 000017